【手続補正書】
【提出日】平成30年11月5日(2018.11.5)
【手続補正１】
【補正対象書類名】特許請求の範囲
【補正対象項目名】全文
【補正方法】変更
【補正の内容】
【特許請求の範囲】
【請求項１】
ホットメルト接着剤を吐出するシステムであって、
出口につながる流路を有する接着剤ディスペンサーと、
前記流路に流体接続されている供給導管と、
固体ホットメルト接着剤の細長く柔軟な要素を前記供給導管内に供給するように構成されている供給機構と、
前記供給導管の少なくとも一部に沿って配置され、前記供給導管内に供給される前記細長く柔軟な要素の一部を溶融することにより、前記供給導管内に或る供給量の液体接着剤を生成する第１の加熱素子と、
前記流路内において開位置と閉位置との間で移動するように取り付けられる弁部材であって、前記弁部材が前記閉位置にある場合、前記システム内に流体圧力を蓄積させる弁部材と、
を備える、システム。
【請求項２】
前記第１の加熱素子は、前記供給導管の少なくとも一部の周りに巻かれたヒーターケーブルを更に含む、請求項１に記載のシステム。
【請求項３】
前記供給導管と前記流路との間の第２の加熱素子を備える熱交換装置であって、前記液体接着剤を接着結合用途に好適な塗布温度まで加熱するように構成されている熱交換装置を更に備える、請求項１に記載のシステム。
【請求項４】
前記熱交換装置と前記接着剤ディスペンサーとの間のマニホールドであって、前記液体接着剤を前記塗布温度に維持するように構成されている第３の加熱素子を備えるマニホールドを更に備える、請求項３に記載のシステム。
【請求項５】
前記システムの少なくとも一部の内側の液体接着剤の圧力を検知するように構成されている圧力センサーと、
前記圧力センサーと通信し、前記供給機構を制御するように構成されているコントローラーと、
を更に備える、請求項１に記載のシステム。
【請求項６】
前記固体ホットメルト接着剤を覆い、前記固体ホットメルト接着剤を環境から保護する被覆材料を含む前記固体ホットメルト接着剤の前記細長く柔軟な要素を更に含む、請求項１に記載のシステム。
【請求項７】
前記供給機構は、
前記細長く柔軟な要素を供給し前進させるために前記細長く柔軟な要素に摩擦係合するように構成されている少なくとも１つのローラーと、
前記少なくとも１つのローラーに作動可能に結合されているモーターと、
を更に備える、請求項１に記載のシステム。
【請求項８】
前記システム内の液体接着剤の圧力が所定の圧力レベルになったとき、前記モーターと前記少なくとも１つのローラーとを選択的に係脱させるように構成されているトルク制限機構を更に備える、請求項７に記載のシステム。
【請求項９】
前記供給機構の一部と前記第１の加熱素子との間に配置される少なくとも１つの曝露領域であって、前記細長く柔軟な要素は前記曝露領域を通して供給される、曝露領域と、
前記少なくとも１つの曝露領域を包囲する保護ハウジングと、
を更に備える、請求項１に記載のシステム。
【請求項１０】
出口と流体連通する流路を有するホットメルト接着剤ディスペンサーに流体接続されている供給導管を備えるシステムを用いて、ホットメルト接着剤を吐出する方法であって、
固体ホットメルト接着剤の細長く柔軟な要素の一部を前記供給導管内に供給することと、
前記供給導管内に或る供給量の液体接着剤を生成するように、前記供給導管内の前記細長く柔軟な要素の少なくとも一部を加熱することと、
前記液体接着剤の少なくとも一部を前記供給導管から前記接着剤ディスペンサーの前記流路内に送るように、前記細長く柔軟な要素を前記供給導管に対して前進させることと、
前記システム内に流体圧力が蓄積されるように、前記出口を弁部材によって閉鎖することと、
前記液体接着剤の一部を前記出口から吐出することと、
を含む、方法。
【請求項１１】
前記システム内の前記液体接着剤の圧力レベルを検知することと、
前記検知された圧力レベルに応じて、前記流路内の前記検知された圧力レベルが所定の圧力レベルから逸脱している場合には、前記細長く柔軟な要素を前記供給導管に対して前進させ、又は、前記検知された圧力レベルが前記所定の圧力レベルに実質的に等しい場合には、前記供給導管に対する前記細長く柔軟な要素の位置を維持することと、
を更に含む、請求項１０に記載の方法。
【請求項１２】
前記細長く柔軟な要素を供給すること及び前進させることは、
前記細長く柔軟な要素を少なくとも１つのローラーに摩擦係合させることと、
前記少なくとも１つのローラーを回転させるように、モーターを作動させることと、
を更に含む、請求項１０に記載の方法。
【請求項１３】
前記システム内の前記液体接着剤の圧力レベルを検知することと、
前記システム内の前記検知された圧力レベルが所定の圧力レベル未満である場合、前記モーターを作動させるように、コントローラーに信号を送信することと、
前記システム内の前記検知された圧力レベルが前記所定の圧力レベルに略等しい場合、前記モーターの動作を停止させるように、前記コントローラーに信号を送信することと、
を更に含む、請求項１２に記載の方法。
【請求項１４】
前記システムは、前記供給導管と前記接着剤ディスペンサーとの間の熱交換装置を更に備え、前記方法は、前記液体接着剤の少なくとも一部を、前記液体接着剤を接着結合用途に好適な塗布温度まで加熱する前記熱交換装置に通して送ることを更に含む、請求項１０に記載の方法。
【請求項１５】
或る時間にわたって少なくとも１つの基材上に吐出される液体接着剤量の要求を決定することと、
前記要求を満たす十分な速度で、前記細長く柔軟な要素を前記供給導管に対して前進させることと、
を更に含む、請求項１０に記載の方法。
【請求項１６】
前記細長く柔軟な要素の欠如を検知することと、
コントローラーに信号を送信することと、
を更に含む、請求項１０に記載の方法。
【請求項１７】
前記液体接着剤の一部を吐出することは、前記液体接着剤を吐出するのに必要な圧力が、定速送りによって発生する圧力に等しくなるように、前記システムの外部の圧力と前記システム内の前記流体圧力とを均衡させ、それにより計量吐出をもたらすことができるように、前記弁部材を開放することを含む、請求項１０に記載の方法。
【請求項１８】
ホットメルト接着剤を吐出するシステムであって、
出口につながる流路を有する接着剤ディスペンサーと、
前記流路に流体接続されている供給導管と、
固体ホットメルト接着剤の細長く柔軟な要素を前記供給導管内に供給するように構成されている供給機構と、
前記供給導管の少なくとも一部に沿って配置され、前記供給導管内に供給される前記細長く柔軟な要素の一部を溶融することにより、前記供給導管内に或る供給量の液体接着剤を生成する第１の加熱素子と、
前記システムの少なくとも一部の内側の流体圧力を制限する圧力制限機構と、
を備える、システム。
【請求項１９】
前記圧力制限機構は、
前記システムの少なくとも一部の内側の液体接着剤の圧力を検知するように構成されている圧力センサーと、
前記圧力センサーと通信し、前記供給機構を制御するように構成されているコントローラーと、
を備える、請求項１８に記載のシステム。
【請求項２０】
前記供給機構は、
前記細長く柔軟な要素を供給し前進させるために、前記細長く柔軟な要素に摩擦係合するように構成されている少なくとも１つのローラーと、
前記少なくとも１つのローラーに作動可能に結合されているモーターと、
を更に備え、
前記圧力制限機構は、
前記システム内の液体接着剤の圧力が所定の圧力レベルになったとき、前記モーターと前記少なくとも１つのローラーとを選択的に係脱させるように構成されているトルク制限機構、
を備える、請求項１８に記載のシステム。
【請求項２１】
出口と流体連通する流路を有するホットメルト接着剤ディスペンサーに流体接続されている供給導管を備えるシステムを用いて、ホットメルト接着剤を吐出する方法であって、
固体ホットメルト接着剤の細長く柔軟な要素の一部を前記供給導管内に供給することと、
前記供給導管内に或る供給量の液体接着剤を生成するように、前記供給導管内の前記細長く柔軟な要素の少なくとも一部を加熱することと、
前記液体接着剤の少なくとも一部を前記供給導管から前記接着剤ディスペンサーの前記流路内に送るように、前記細長く柔軟な要素を前記供給導管に対して前進させることと、
前記システムの少なくとも一部の内側の圧力を制限するように、前記細長く柔軟な要素の前進速度を制御することと、
前記液体接着剤の一部を前記出口から吐出することと、
を含む、方法。
【請求項２２】
ホットメルト接着剤を吐出するシステムであって、
出口につながる流路を有する接着剤ディスペンサーと、
前記流路に流体接続されている供給導管と、
固体ホットメルト接着剤の細長く柔軟な要素を前記供給導管内に供給するように構成されている供給機構と、
前記供給導管の少なくとも一部に沿って配置され、前記供給導管内に供給される前記細長く柔軟な要素の一部を溶融することにより、前記供給導管内に或る供給量の液体接着剤を生成する第１の加熱素子と、
前記供給機構の一部と前記第１の加熱素子との間に配置される少なくとも１つの曝露領域であって、前記細長く柔軟な要素は前記曝露領域を通して供給される、曝露領域と、
前記少なくとも１つの曝露領域を包囲する保護ハウジングと、
を備える、システム。
【請求項２３】
前記保護ハウジングには、乾燥ガスが充填されている、請求項２２に記載のシステム。